(57)【要約】【課題】大地震の折に、強い揺れや衝撃によりその上に上層階が崩落してきたり重量のある家具が倒壊してきたりしても圧潰されることなく、かつ揺れにより位置が移動することもない、シェルターとして安全確実に使用できる耐震卓を開発する。【解決手段】天板１を厚さ３０ｍｍ以上の金属製とし、天板１の底面に金属製のトラス状の構造物である補強梁部２を固着し、４隅の金属製の脚３１〜３４に加えて中央部分に金属製の脚３５、３６を設け、脚３１〜３６の下端部に夫々金属製の脚用安定板４を連設した耐震卓Ｔ１を提供する。【選択図】        図１
0003102348.tif 000002
【実用新案登録請求の範囲】
【請求項１】
金属製の天板と、金属製の補強梁部と、金属製の５脚以上の脚と、上記５脚以上の脚の夫々の下端部に連接される金属製の脚用安定板より構成され、
上記天板が３０ｍｍ以上の厚さを有しており、
上記補強梁部がトラス状の構造物であり、
上記補強梁部が、該補強梁部の上面に突設された梁凸部が上記天板の底面に穿設された梁用凹部に嵌着されることにより上記天板に固着され、
上記５脚以上の脚のうち４脚の上端に突設された脚凸部が上記補強梁部の４隅に穿設された脚用孔あるいは脚用凹部に嵌着されており、
上記５脚以上の脚のうち１脚以上の上端に突設された脚凸部が上記補強梁部の中央部分に穿設された脚用孔あるいは脚用凹部に嵌着されており、
上記脚用安定板が、上記脚の断面積の少なくとも９倍以上の面積を有し、
上記脚用安定板の中心に突設固着された金属性の心棒が上記５脚以上の脚の夫々の下端部に穿設された心棒用孔に夫々嵌着されてなる、
ことを特徴とする耐震卓。
【請求項２】
金属製の天板と、金属製の５脚以上の脚と、上記５脚以上の脚の夫々の上端部に突設された脚凸部に嵌通される金属製の台座と、上記５脚以上の脚の夫々の下端部に連接される金属製の脚用安定板より構成され、
上記天板が３０ｍｍ以上の厚さを有しており、
上記５脚以上の脚のうち４脚の上端に突設された脚凸部が上記台座が嵌通された状態で上記天板の底面の４隅に穿設された脚用凹部に嵌着されており、
上記５脚以上の脚のうち１脚以上の上端に突設された脚凸部が上記台座が嵌通された状態で上記天板の底面の中央部分に穿設された脚用凹部に嵌着されており、
上記脚用安定板が、上記脚の断面積の少なくとも９倍以上の面積を有し、
上記脚用安定板の中心に突設固着された金属性の心棒が上記５脚以上の脚の夫々の下端部に穿設された心棒用孔に夫々嵌着されてなる、
ことを特徴とする耐震卓。
【請求項３】
上記天板が２５ｍｍ以上の厚さの金属板で、その上面に５ｍｍ以上の厚さのゴム板を接着してなることを特徴とする請求項１あるいは請求項２に記載の耐震卓。
【考案の詳細な説明】
【技術分野】
【０００１】
本考案は、耐震卓に関するものであり、さらに詳しくは、以下の（Ａ）〜（Ｃ）の耐震卓に関するものである。
（Ａ）金属製の天板と、金属製の補強梁部と、金属製の５脚以上の脚と、上記５脚以上の脚の夫々の下端部に連接される金属製の脚用安定板より構成され、上記天板が３０ｍｍ以上の厚さを有しており、上記補強梁部がトラス状の構造物であり、上記補強梁部が、該補強梁部の上面に突設された梁凸部が上記天板の底面に穿設された梁用凹部に嵌着されることにより上記天板に固着され、上記５脚以上の脚のうち４脚の上端に突設された脚凸部が上記補強梁部の４隅に穿設された脚用孔あるいは脚用凹部に嵌着されており、上記５脚以上の脚のうち１脚以上の上端に突設された脚凸部が上記補強梁部の中央部分に穿設された脚用孔あるいは脚用凹部に嵌着されており、上記脚用安定板が、上記脚の断面積の少なくとも９倍以上の面積を有し、上記脚用安定板の中心に突設固着された金属性の心棒が上記５脚以上の脚の夫々の下端部に穿設された心棒用孔に夫々嵌着されてなることを特徴とする耐震卓。
（Ｂ）金属製の天板と、金属製の５脚以上の脚と、上記５脚以上の脚の夫々の上端部に突設された脚凸部に嵌通される金属製の台座と、上記５脚以上の脚の夫々の下端部に連接される金属製の脚用安定板より構成され、上記天板が３０ｍｍ以上の厚さを有しており、上記５脚以上の脚のうち４脚の上端に突設された脚凸部が上記台座が嵌通された状態で上記天板の底面の４隅に穿設された脚用凹部に嵌着されており、上記５脚以上の脚のうち１脚以上の上端に突設された脚凸部が上記台座が嵌通された状態で上記天板の底面の中央部分に穿設された脚用凹部に嵌着されており、上記脚用安定板が、上記脚の断面積の少なくとも９倍以上の面積を有し、上記脚用安定板の中心に突設固着された金属性の心棒が上記５脚以上の脚の夫々の下端部に穿設された心棒用孔に夫々嵌着されてなることを特徴とする耐震卓。
（Ｃ）上記天板が２５ｍｍ以上の厚さの金属板で、その上面に５ｍｍ以上の厚さのゴム板を接着してなることを特徴とする（Ａ）あるいは（Ｂ）に記載の耐震卓。
【背景技術】
【０００２】
従来から、大地震の折には、丈夫なテーブルの下に隠れるということが良く言われている。しかしながら、通常テーブルは木製あるいは樹脂製であり、金属製のものであっても、使用される金属板はごく薄いものである。これは、テーブルの重量を考えての設計であるものの、大地震の際の手近な避難場所としてはかなり心もとなく、テーブルの下に隠れても、例えば屋根や上層階がテーブルの上に崩れてきたり、重量のある家具がテーブル上に倒れ掛かってくると、従来の木製、樹脂製あるいは薄い金属製のテーブルではテーブルごと圧潰されてしまう可能性が十分にある。また、上記従来のテーブルでは、軽量のため、地震の振動で位置がずれてしまい、テーブルの下に隠れたつもりでもテーブルが移動してシェルターの役割を果たさないといったことも十分に考えられるものである。
【０００３】
このように、テーブル、机、デスクといったものを地震の際に手近な避難シェルターとして使うという発想から考えられた発明が、下記特許文献１（特開平１１−３２８７４）、特許文献２（特開２００１−２２４４４１）に開示されている。
特許文献１に開示されている耐震用幼児机Ｐ１は、図１１ａ（正面図）に見るように、天板Ｐ１００の底面に固着された枠体Ｐ１１の四周に４本の脚部Ｐ１４、Ｐ１４…を設け、枠体Ｐ１１の中央部分の底面につかまり棒Ｐ１７、Ｐ１７を設けたもので、枠体１１は梁部材Ｐ１２、Ｐ１２と多数のパンチ孔を有する金属製の補強プレートＰ１３により補強されている。枠体Ｐ１１と梁部材Ｐ１２、Ｐ１２は角筒状の金属パイプ製、脚部Ｐ１４、Ｐ１４…とつかまり棒Ｐ１７、Ｐ１７は金属パイプ製、天板は一例として木製、補強プレートＰ１３は金属製である。
【０００４】
また、特許文献２に開示されている耐震用幼児机Ｐ２は、図１１ｂ（脚を畳んだ状態の底面図）に見るように、天板Ｐ２１の底面四周に折りたたみ式の４本の脚部Ｐ２２、Ｐ２２…を設け、天板Ｐ２１の中央部分につかまり棒Ｐ２３、Ｐ２３を設けたもので、特許文献１に記載の耐震用幼児机Ｐ１同様、天板Ｐ２１を多数のパンチ孔を有する金属製の補強プレートにて補強する構成も記載されている。
【特許文献１】特開平１１−３２８７４
【特許文献２】特開２００１−２２４４４１
【考案の開示】
【考案が解決しようとする課題】
【０００５】
特許文献１の耐震用幼児机も特許文献２の耐震用幼児机も、いずれも天板は通常の木製か樹脂製、あるいは薄い金属製であり、「多数のパンチ孔を有する金属製の補強プレート」にて補強されているものの、この「補強プレート」もごく薄い金属板であり、例えば上層階が崩れてきたり、重量のある家具が倒れ掛かってきたりしたときに耐えられるものであるとは考えられない。脚部分についても同様の懸念がある。また、全体の重量も通常の机以上のものであるとは考えにくく、地震の揺れが強い場合には全体が移動してシェルターの役を果たさないケースも充分に考えられる。
【０００６】
また、特許文献１の耐震用幼児机も特許文献２の耐震用幼児机も、天板あるいは枠体と脚部分をボルトあるいはビスを介して固着する構成であるが、この場合、強い揺れによりボルトあるいはビスが損傷を蒙ったり緩んだりすると、その部分から破壊される可能性が高い。さらに、特許文献１の耐震用幼児机も特許文献２の耐震用幼児机も、脚部分の下端を安定させるための構成を有していないので、脚部分の下端が床を滑り、簡単に位置がずれてしまうことが考えられる。また、特許文献２の耐震用幼児机においては、脚部分が折畳み可能な構成となっているので、その分だけ衝撃には弱く、その部分から破壊される可能性が高いといわねばならない。
【０００７】
このように、従来の耐震用のテーブル、机、デスクといったものは、その構成が地震の強い揺れや上層階の崩壊、重量のある家具の倒壊といった衝撃に耐えられる構成ではなく、人がその下に隠れても、テーブル、机、デスクごと圧潰される可能性が充分に存するものである。また、テーブル、机、デスク自体の重量も通常のものとあまり変わらないので、強い揺れで位置がずれて、実際上はシェルターの役割を果たし難いものであると考えられる。
【０００８】
従って、本考案においては、次に掲げる諸点を解決すべき課題として設定した。
（１） 天板、脚の材質を衝撃に耐えられる強度の高いものとし、特に天
板の強度を高めるため通常の机やデスク、テーブルより厚いものとし、上層階の崩壊、重量のある家具の倒壊といった衝撃にも耐えられる構成とする。
（２） 天板と脚の間に、天板の強度をさらに高めるとともに、天板と脚
の連結をより強固にする構成すなわち補強梁部あるいは台座を設ける。
（３）天板と脚と補強梁部あるいは台座の連結方法として、ビスやボルトといった折れたり緩んだりする可能性の高い構成を採らず、部材どうしを直接強固に連結する構成を採る。
（４）通常の机やデスク、テーブルの天板は、その四隅には夫々脚が設けられていて上からの衝撃に強いが、中央部分は比較的脆弱であり、上からの衝撃で破壊されやすいので、天板の中央部分の強度を高めるための構成を設ける。
（５）各脚の下端部に、脚部分の安定を図り、強い揺れでも全体の位置がずれないような構成を設ける。
（６）全体の強度を高め、また衝撃や揺れでも位置がずれないように、全体の重量を通常の机やデスク、テーブルよりはるかに重いものとする。
【課題を解決するための手段】
【０００９】
本考案は、上記課題を解決するためになされたものであり、以下に掲げる解決手段を提供するものである。
＜解決手段１＞
金属製の天板と、金属製の補強梁部と、金属製の５脚以上の脚と、上記５脚以上の脚の夫々の下端部に連接される金属製の脚用安定板より構成され、
上記天板が３０ｍｍ以上の厚さを有しており、
上記補強梁部がトラス状の構造物であり、
上記補強梁部が、該補強梁部の上面に突設された梁凸部が上記天板の底面に穿設された梁用凹部に嵌着されることにより上記天板に固着され、
上記５脚以上の脚のうち４脚の上端に突設された脚凸部が上記補強梁部の４隅に穿設された脚用孔あるいは脚用凹部に嵌着されており、
上記５脚以上の脚のうち１脚以上の上端に突設された脚凸部が上記補強梁部の中央部分に穿設された脚用孔あるいは脚用凹部に嵌着されており、
上記脚用安定板が、上記脚の断面積の少なくとも９倍以上の面積を有し、
上記脚用安定板の中心に突設固着された金属性の心棒が上記５脚以上の脚の夫々の下端部に穿設された心棒用孔に夫々嵌着されてなる、
ことを特徴とする耐震卓。
＜解決手段２＞
金属製の天板と、金属製の５脚以上の脚と、上記５脚以上の脚の夫々の上端部に突設された脚凸部に嵌通される金属製の台座と、上記５脚以上の脚の夫々の下端部に連接される金属製の脚用安定板より構成され、
上記天板が３０ｍｍ以上の厚さを有しており、
上記５脚以上の脚のうち４脚の上端に突設された脚凸部が上記台座が嵌通された状態で上記天板の底面の４隅に穿設された脚用凹部に嵌着されており、
上記５脚以上の脚のうち１脚以上の上端に突設された脚凸部が上記台座が嵌通された状態で上記天板の底面の中央部分に穿設された脚用凹部に嵌着されており、
上記脚用安定板が、上記脚の断面積の少なくとも９倍以上の面積を有し、
上記脚用安定板の中心に突設固着された金属性の心棒が上記５脚以上の脚の夫々の下端部に穿設された心棒用孔に夫々嵌着されてなる、
ことを特徴とする耐震卓。
＜解決手段３＞
上記天板が２５ｍｍ以上の厚さの金属板で、その上面に５ｍｍ以上の厚さのゴム板を接着してなることを特徴とする請求項解決手段１に記載の耐震卓。
【００１０】
上記課題（１）を解決するために、天板、脚をすべて金属製とした。金属としては様々なものが使用可能であるが、通常は鉄、ステンレススティール、鉛、銅、アルミ、あるいは各種合金等が考えられる。また、天板は、上部からの衝撃に充分に耐えられるように３０ｍｍ以上の厚さの金属製、あるいは２５ｍｍ以上の厚さの金属に５ｍｍ以上の厚さのゴム板を接着したものとした。
【００１１】
上記課題（２）を解決するために、天板と脚との間に、金属製の棒をトラス状に組み上げた補強梁部、あるいは台座を設けた。該補強梁部あるいは台座は天板の底面に固着されるものであり、天板と脚は、この補強梁部あるいは台座を介することにより、より強固に連結されるものである。該補強梁部に関してさらに言えば、周知のように、トラス構造は、非常に強度が高く衝撃に強いものであり、さらに素材となる棒材に厚い金属棒を使用しているので、該補強梁部は特許文献１、２に開示されている「補強プレート」とは比較にならない強度と耐衝撃性を有するものである。
【００１２】
上記課題（３）を解決するために、ビスやボルトといった折れたり緩んだりする構成を一切採らず、部材どうしを凹部と凸部により嵌着するという構成を採ることとした。凹部と凸部により嵌着する構成は、部材どうしの強度が低い場合には不安定であるが、各部材の強度が充分に高い場合には、ビスやボルトを介するよりはるかに安定的な連結を可能とするものである。
【００１３】
上記課題（４）を解決するために、４隅の脚に加えて、中央部分に１本以上の脚を加える構成とした。この追加される脚は、特許文献１、２に記載の「つかまり棒」のように、つかまることを目的とするものではなく、あくまで天板の中央部分を支えることを目的とする本格的な脚として、四隅の脚と同様の構成とするものである。
【００１４】
上記課題（５）を解決するために、各脚の下端部に、脚の横断面積の少なくとも９倍以上の面積を有する脚用安定板を連設する。面積で９倍以上という意味は、寸法で略３倍以上ということであり、この場合、脚の横断面の寸法とは、脚の横断面が円形の場合はその直径であり、脚の横断面が４角形の場合は各辺の長さ、脚の横断面が５角形以上の場合はその最大の対角線の長さである。上記脚用安定板の寸法も同様である。
【００１５】
上記課題（６）を解決するために、天板、補強梁部、５脚以上の脚、脚用安定板の各部材をすべて金属製とし、あるいは金属にゴムを接着したものとし、かつ天板をはじめとする各部材の厚さを通常の机やデスク、テーブルでは普通採られない厚さとして、全体の重量を通常の机やデスク、テーブルよりはるかに重いものとした。
【考案の効果】
【００１６】
本考案によれば、天板、脚をすべて金属製としたことにより、天板、脚ともに強い衝撃にも耐え得る強度の高いものとすることができた。特に、天板を３０ｍｍ以上の厚さの金属製、あるいは２５ｍｍ以上の厚さの金属板に５ｍｍ以上の厚さのゴム板を接着したものとしたので、上層階の崩壊、重量のある家具の倒壊といった衝撃にも充分に耐えられる構成のものとすることができた。
【００１７】
本考案によれば、天板と脚との間に、金属製の棒をトラス状に組み上げた補強梁部、あるいは台座を設けたので、天板と脚は、該補強梁部あるいは台座を介してより強固に連結されるとともに、該補強梁部を設けた構成においては天板の強度がさらに高まることとなった。該補強梁部に関してさらに言えば、前述のように、トラス構造は、非常に強度が高く衝撃に強いものであり、さらに素材となる棒材に厚い金属棒を使用しているので、該補強梁部は特許文献１、２に開示されている「補強プレート」とは比較にならない強度と耐衝撃性を有するものである。
【００１８】
本考案によれば、各部材の連結に際して、ビスやボルトといった折れたり緩んだりする構成を一切採らず、部材どうしを凹部と凸部により嵌着するという構成を採用したため、部材どうしがより直接的に、強固に連結され、全体の構成の安定性が増し、かつ全体の強度が増した。これは、各部材の素材として厚みのある金属を用いたためにはじめて可能となった構成である。また、これにより各部材は分解、組み立てが自由となった。
【００１９】
本考案によれば、４隅の脚に加えて、中央部分に１本以上の脚を加える構成としたので、天板の中央部分が上部からの衝撃に対して強度を増した。これにより、本考案の耐震卓の上に上層階が崩壊してきても、重量のある家具が倒壊してきても、その衝撃に耐え、シェルターとしての役割を十分に果たせることとなった。
【００２０】
本考案によれば、各脚の下端部に、脚の横断面積の少なくとも９倍以上の面積を有する脚用安定板を連設したので、脚部分の安定度が増大し、強い揺れや衝撃でも、全体の位置がずれるということがなくなった。これにより、本考案の耐震卓の下に逃げ込んだ場合、強い揺れにより耐震卓が移動するということがないので、安心してシェルターとして用いることができる。
【００２１】
本考案によれば、天板、補強梁部あるいは台座、５脚以上の脚、脚用安定板の各部材をすべて金属製とし、あるいは金属にゴムを接着したものとし、かつ天板をはじめとする各部材の厚さを通常の机やデスク、テーブルでは通常採られない厚さとして、全体の重量を通常の机やデスク、テーブルよりはるかに重いものとしたので、全体の強度が通常の机やデスク、テーブルとは比較にならない程高まり、また全体の重量が重くなったので、強い揺れにより耐震卓が移動するということがなく、安心してシェルターとして用いることができる。
【考案を実施するための最良の形態】
【００２２】
本考案の耐震卓を実施するための最良の形態を、以下に実施例として、図面を参照しながら詳細に記述する。なお、以下に示す実施例１は上記解決手段１の１実施例であり、実施例２は上記解決手段３の１実施例であり、実施例３は上記解決手段２の１実施例である。
【実施例１】
【００２３】
＜実施例１の構成＞
実施例１の耐震卓の構成を、図１ａ〜図４に示す。実施例１の耐震卓Ｔ１は、図１ａに示すように、天板１、脚部３からなり、脚部３は天板１の底面に固着された補強梁部２、補強梁部２の４隅に垂設固着された脚３１、３２、３３、３４、補強梁部２の中央部分に垂設された脚３５、３６から構成されている。また、脚３１〜３６の夫々の下端部には脚用安定板４、４、…が連設されている。
【００２４】
天板１は、図１ｂ、図２ｂ、図３ａ、図３ｂ、図４に示すように、厚さ５０ｍｍの鉄板からなる天板本体１１の底面に面取りを施した厚さ１５ｍｍのゴム板からなる緩衝板１２を一体に接着してなる長方形状の板体で、図５ａに示すように、底面に複数の脚用凹部ｈ１、複数の脚用孔ｈ２、複数の梁用凹部ｈ５、複数の梁用孔ｈ６が穿設されている。脚用凹部ｈ１と梁用凹部ｈ５は天板本体１１の底面に穿設されており、脚用孔ｈ２と梁用孔ｈ６は緩衝板１２に穿設されている。脚用凹部ｈ１と脚用孔ｈ２は平面形状が３個の３角形を少しずつずらして重ねたような形態で重なって穿設され、梁用凹部ｈ５と梁用孔ｈ６は平面形状が正６角形状で重なって穿設されている。複数の脚用凹部ｈ１と複数の脚用孔ｈ２の配置は図５ａ（天板１の底面図）に示すとおりで、後に記述する脚凸部ｔ１に対応する形状、配置となっている。また、複数の梁用凹部ｈ５、複数の梁用孔ｈ６の配置も図５ａに示すとおりで、後に記述する梁凸部ｔ２に対応する形状、配置となっている。
【００２５】
補強梁部２は、図５ｂ（上面から見た外観斜視図）、図６ａ（天板１に嵌着した状態の底面図）に見るように、補強梁部本体２１が、断面が１辺５０ｍｍの四角形状の鉄製の棒材をトラス状に組み上げて溶着し、一体としたもので、平面形状で１８個の正３角形が組み合わされてなり、４隅に結節点２３ａ、２３ｂ、２３ｃ、２３ｄが、中央部分の長手方向に結節点２３ｅ、２３ｆが形成され、他に、結節点２４ａ〜２４ｌが形成されている。また、補強梁部本体２１の底面には、面取りを施した厚さ１５ｍｍのゴム板からなる緩衝板２２が一体として接着されている。
【００２６】
補強梁部本体２１の上面には、図５ｂに見るように、結節点２３ａ〜２３ｆの中央に前記脚用凹部ｈ１、脚用孔ｈ２と同形の、平面形状が３個の３角形を少しずつずらして重ねたような形態の脚用孔ｈ３が穿設され、同形の脚用孔ｈ４が緩衝板２２の同位置にも穿設されている。従って、結節点２３ａ〜２３ｆの夫々において、脚用孔ｈ３、脚用孔ｈ４が重なって穿設されている。
【００２７】
また、結節点２４ａ〜２４ｌの中央の補強梁部本体２１の上面には前記梁用凹部ｈ５、梁用孔ｈ６に嵌着される平面形状が正６角形状の梁凸部ｔ２が補強梁部本体２１と一体に突設されており（図５ｂ参照）、結節点２４ａ〜２４ｌの中央の補強梁部本体２１の底面に平面形状が正６角形状の梁凸部ｔ３が補強梁部本体２１と一体に突設されている（図６ａ、図３ｂ参照）。梁凸部ｔ３は図３ｂに見るように下方に向かうに従い拡大するテーパーが付されており、結節点２４ａ〜２４ｌの中央の緩衝板２２に穿設された平面形状が正６角形状の梁用孔ｈ７を拡径気味にして嵌着されることにより、緩衝板２２を梁部本体２１に固着する役割を果たしている。すなわち、緩衝板２２はゴム製であるので、梁用孔ｈ７に梁凸部ｔ３が拡径気味に嵌着されることにより梁凸部ｔ３は梁用孔ｈ７の側面を圧縮するので、その反作用が梁用孔ｈ７の側面から梁凸部ｔ３に働き、その作用で緩衝板２２が梁用孔ｈ７、梁凸部ｔ３を介して補強梁部本体２１に止着されるものである。緩衝板２２を梁部本体２１に接着剤をもって接着されるが、上記止着作用がこれに加わり、さらに安定的に止着されるものである。
【００２８】
脚部３は上述のように４隅の脚３１〜３４と中央部分の脚３５，３６から構成されるが、脚３１〜３４と脚３５，３６は夫々その構成は全く同一である。脚３１〜３６は、図１ａ、図１ｂ、図２ｂ、図４、図６ｂに見るように本体部分の横断面が１辺３５ｍｍの正６角で、本体部分の長さは６００ｍｍであり、上端部には、図７ａ、図７ｃに見るように、脚用孔ｈ３，ｈ４に嵌通される平面形状が３個の３角形を少しずつずらして重ねたような形態の柱状の脚凸部ｔ１が上記本体部分の上面に上記本体部分と一体に突設されている。脚凸部ｔ１は、図３ａに見るように、補強梁部２の脚用孔ｈ３，ｈ４に嵌通され天板１の脚用孔ｈ２に嵌通され（図３ａ参照）、さらに天板１の脚用凹部ｈ１に嵌着される高さを有するものである。また、脚３１〜３６の下端には、図１ｂ、図４、図６ｂ、図７ｂに見るように、深さ１５０ｍｍの正６角柱状の心棒用孔ｈ８が穿設されている。
【００２９】
脚用安定板４は、図１ｂ、図４、図６ｂ、図７ｄに見るように、鉄製の厚さ２０ｍｍの円板状の安定板本体４１の上面に面取りを施した厚さ１５ｍｍの円板状のゴム板からなる緩衝板４３を接着したもので、安定板本体４１の上面中央に、上記脚３１〜３６の心棒用孔ｈ８に嵌着される寸法の正６角柱状の心棒４２が安定板本体４１と一体に突設固着されている。
【００３０】
本考案の実施例１の耐震卓Ｔ１の各部の構成は上記のとおりである。次に、上記各部の組み合わせを説明する。上記各部は当初は組み合わされておらず、その状態で運搬され、設置箇所にて耐震卓Ｔ１として組み立てられるものである。
【００３１】
まず、耐震卓Ｔ１の設置場所を決定する。耐震卓Ｔ１はそれ自体でかなりの重量があるので、設置場所は床構造が丈夫な所を選択することが必要である。設置場所が決定すれば、次に、６個の脚用安定板４，４、…を配設する。この際、６個の脚用安定板４，４、…は、補強梁部２の結節点２３ａ〜２３ｆに対応する位置に配設する。
【００３２】
次に、６個の脚用安定板４，４、…の夫々の心棒４２、４２、…を脚３１〜３６の下端部に穿設された心棒用孔ｈ８、ｈ８、…に嵌着することにより、脚３１〜３６を脚用安定板４，４、…の夫々中央に垂設する。心棒４２、４２、…は約１５０ｍｍの長さがあり、脚３１〜３６は鉄製であるので、脚３１〜３６の自重により脚３１〜３６は脚用安定板４，４、…の夫々中央に垂設固着された状態となる。
【００３３】
次に、脚３１〜３６の上端面に突設された脚凸部ｔ１、ｔ１、…に補強梁部２の脚用孔ｈ３、ｈ４を嵌着することにより、補強梁部２を脚３１〜３６の上部に固定する。この際、脚３１の脚凸部ｔ１は補強梁部２の結節点２３ａの脚用孔ｈ３、ｈ４に、脚３２の脚凸部ｔ１は補強梁部２の結節点２３ｂの脚用孔ｈ３、ｈ４に、脚３３の脚凸部ｔ１は補強梁部２の結節点２３ｃの脚用孔ｈ３、ｈ４に、脚３４の脚凸部ｔ１は補強梁部２の結節点２３ｄの脚用孔ｈ３、ｈ４に、脚３５の脚凸部ｔ１は補強梁部２の結節点２３ｅの脚用孔ｈ３、ｈ４に、脚３６の脚凸部ｔ１は補強梁部２の結節点２３ｆの脚用孔ｈ３、ｈ４に、夫々嵌着される。補強梁部２の補強梁部本体２１は鉄製であるので、補強梁部２は自重により脚３１〜３６の上部に架設固着された状態となる。この際、図３ａ、図４に見るように、補強梁部２の上面には脚３１〜３６の脚凸部ｔ１の上端部が突出した状態となる。
【００３４】
次に、補強梁部２の上面に突出した状態の脚凸部ｔ１の上端部を天板１の底面に穿設された脚用孔ｈ２に嵌通し、脚用凹部ｈ１に嵌着し、補強梁部２の上面に突設された梁凸部ｔ２を天板１の底面に穿設された脚用孔ｈ６に嵌通し、脚用凹部ｈ５に嵌着することにより、天板１を補強梁部２の上面に止着する。天板１の天板本体１１は鉄製であるので、天板１は自重により補強梁部２の上面に架設固着された状態となる。これにて、耐震卓Ｔ１の組み立ては完了し、耐震卓Ｔ１は完成状態となる。
【００３５】
＜実施例１の作用＞
実施例１の耐震卓Ｔ１は上記のような構成であるので、地震の強い揺れが襲ってきたときに、人は、耐震卓Ｔ１の下に逃げ込めば、耐震卓Ｔ１がシェルターの役割を果たし、耐震卓Ｔ１の上に上層階が崩壊してきても、重量のある家具が倒壊してきても、耐震卓Ｔ１が圧潰されることがなく、耐震卓Ｔ１の下に逃げ込んだ人の安全が保証される。
【００３６】
この際、耐震卓Ｔ１の構成が、圧潰に耐える強度を保証するものである。すなわち、まず、耐震卓Ｔ１の天板１は厚さ５０ｍｍの鉄板であり、しかも底面には１辺が５０ｍｍの四角形の断面を有する鉄製の棒材をトラス状に組み上げた補強梁部２が固着されているので、余程の衝撃に対しても天板１が圧潰、破断等の損傷を蒙ることは考えられない。特に、補強梁部２はトラス状に組まれているので、通常の梁の構成よりはるかに衝撃や圧力に強いものである。
【００３７】
さらに、補強梁部２はその４隅を横断面が１辺３５ｍｍの正６角形の頑丈な鉄製の脚３１、３２、３３、３４で支えられているばかりではなく、その中央部分も同一構成の脚３５、３６にて支えられているので、６本の脚３１〜３６が折損することも考えられず、天板１と補強梁部２の下の空間は、シェルター空間として、その下に逃げ込んだ人の身体の安全を保証するものである。なお、６本の脚３１〜３６の正６角柱の形状は、通常の四角柱の脚に比べ、逃げ込んだ人が激しく衝突しても傷害を蒙りにくいという作用も有するものである。この作用をさらに促進するためには、脚３１〜３６を円柱状にしたり、あるいは脚３１〜３６の表面をゴムで被覆する等の方法も考え得る。
【００３８】
またさらに、６本の脚３１〜３６の下端には鉄製の安定板４，４、…が夫々嵌着されているので、強い揺れにおいてもこの安定板４，４、…の作用によって耐震卓Ｔ１の位置がずれるということがない。したがって、人が逃げ込もうと思っても耐震卓Ｔ１が移動して逃げ込めなかったり、あるいは逃げ込んだ後で耐震卓Ｔ１が移動してシェルターの役を果たさなかったりということがありえない。すなわち、不動の信頼性の高いシェルターとしての作用を常に果たし得るものである。
【００３９】
また、耐震卓Ｔ１は、各部の連結にビスやボルトのような結合用の部材を用いず、各部材を凹部と凸部により嵌着させて組み上げ、自重によって固着させているので、強い揺れや衝撃においても、ビスやボルトのような結合用の部材が破壊されるということがなく、結合部分ははるかに丈夫である。とくに、６本の脚３１〜３６の夫々を補強梁部２及び天板１に結合する部分においては、６本の脚３１〜３６の夫々の脚凸部ｔ１の形態及び補強梁部２の脚用孔ｈ３、ｈ４、天板１の脚用孔ｈ２、脚用凹部ｈ１の形態を、図５ａ、図５ｂ、図７ａ、図７ｃに示すように横断面が３個の３角形を少しずつずらして重ねたような形態としたので、多角形状あるいは十字状等の形態に比して横方向からの力に遥かに強く、６本の脚３１〜３６を安定的に補強梁部２及び天板１に結合固着する作用を有するものである。
【００４０】
また、耐震卓Ｔ１においては、天板１の底面がゴム製の厚さ１５ｍｍの緩衝板１２となっており、さらに補強梁部２の底面にもゴム製の厚さ１５ｍｍの緩衝板２２が接着され、かつ脚用安定板４の安定板本体４１の上面にもゴム製の厚さ１５ｍｍの緩衝板４３が接着されているので、この部分が地震の揺れを吸収し、各部材が直接衝突摩擦して損傷されるのを防ぐ作用を果たすものである。また緩衝板１２、緩衝板２２、緩衝板４３は素材がゴムであり、かつ面取りが施されているので、耐震卓Ｔ１の下に逃げ込んだ人が激しく接触しても安全であるという作用をも果たすものである。
【実施例２】
【００４１】
＜実施例２の構成＞
本考案の実施例２の耐震卓Ｔ２の構成は、図８ａ、図８ｂに示すとおりである。すなわち、実施例２の耐震卓Ｔ２は、実施例１の耐震卓Ｔ１（図１ａ参照）において、天板１の構成を変化させただけで、その他の部分の構成は実施例１の耐震卓Ｔ１と同一である。
【００４２】
実施例２の耐震卓Ｔ２の天板５は、図８ｂに示すように、厚さ３５ｍｍの鉄板からなる天板本体５１の上面に厚さ２０ｍｍのゴム板からなる上板５３を接着し、天板本体５１の底面に厚さ１５ｍｍのゴム板からなる緩衝板５２を接着した構成となっている。その他の部分、補強梁部２、脚３１〜３６により構成される脚部３、そして脚用安定板４の構成は、実施例１の耐震卓Ｔ１と同一であるので説明は省略する。また、各部材の結合方法も実施例１の耐震卓Ｔ１と同一である。
【００４３】
＜実施例２の作用＞
実施例２の耐震卓Ｔ２の作用は、実施例１の耐震卓Ｔ１の作用と略同一である。ただ、天板本体５１の上面に厚さ２０ｍｍのゴム板からなる上板５３が接着されているので、普段該耐震卓Ｔ２をテーブルとして使用する際に、天板本体５１が露出されておらず、鉄板の冷たさを感じることなく使用できるという作用を使用者に齎すものである。
【実施例３】
【００４４】
＜実施例３の構成＞
実施例３の耐震卓の構成を、図９ａ〜図１０ｇに示す。実施例３の耐震卓Ｔ３は、図９ａに示すように、天板６、脚部７からなり、脚部７は天板６の底面の４隅に台座９、９、…を介して垂設固着された脚７１、７２、７３、７４、天板６の底面の中央部分に台座９、９を介して垂設された脚７５、７６から構成されている。また、脚７１〜７６の夫々の下端部には脚用安定板８、８、…が連設されている。
【００４５】
天板６は、図９ａ、図９ｂに示すように、天板本体６１が厚さ４０ｍｍの鉄板からなる長方形状の板体で、図１０ａに示すように、底面に複数の台座用凹部ｈ９、複数の脚用凹部ｈ１０が穿設されている。台座用凹部ｈ９は角を丸くした四角形状で、脚用凹部ｈ１０は円孔であり、台座用凹部ｈ９の中央に脚用凹部ｈ１０が穿設されている。複数の台座用凹部ｈ９と複数の脚用凹部ｈ１０の配置は図１０ａに示すとおりで、台座用凹部ｈ９は後に記述する台座９の嵌合部９２に、脚用凹部ｈ１０は後に記述する脚凸部ｔ４の上端部に、夫々対応する形状、配置となっている。
【００４６】
脚部７は上述のように４隅の脚７１〜７４と中央部分の脚７５，７６から構成されるが、脚７１〜７４と脚７５，７６は夫々その構成は全く同一であるので、脚７１にてその構成を説明する。脚７１は、図９ａ、図９ｂに見るように本体部分の横断面が直径７０ｍｍの円形で、本体部分の長さは６００ｍｍであり、上端部には、図９ｂ、図１０ｃに見るように、後述の台座９の脚用孔ｈ１１に嵌通され、天板本体６１の脚用凹部ｈ１０に嵌着される円柱状の脚凸部ｔ４が上記本体部分の上面に上記本体部分と一体に突設されている。脚凸部ｔ４は、図９ｂに見るように、後述の台座９の脚用孔ｈ１１に嵌通され天板本体６１の底面の脚用孔ｈ１０に嵌着される高さを有するものである。また、脚７１〜７６の下端には、図９ａ、図９ｂ、図１０ｄ、図１０ｅに見るように、深さ１５０ｍｍの円柱状の心棒用孔ｈ１２が穿設されている。
【００４７】
台座９は、図１０ｂに見るように本体９１が脚７１〜７６と同一直径の円柱で、上端部の４周に切欠部ｓ、ｓ、ｓ、ｓが設けられ、嵌合部９２を形成している。嵌合部９２は、天板本体６１の底面に穿設された台座用凹部ｈ９に間隙なく嵌着される寸法形状となっている。また、本体９１と嵌合部９２の中央には、脚凸部ｔ４が嵌通される直径の円柱状の脚用孔ｈ１１が穿設されている。
【００４８】
脚用安定板８は、図９ａ、図９ｂ、図１０ｅに見るように、鉄製の厚さ２０ｍｍの円板状の安定板本体８１の上面中央に、上記脚７１〜７６の心棒用孔ｈ１２に嵌着される寸法の円柱状の心棒８２が安定板本体８１と一体に突設固着されている。
【００４９】
本考案の実施例３の耐震卓Ｔ３の各部の構成は上記のとおりである。次に、上記各部の組み合わせを説明する。上記各部は当初は組み合わされておらず、その状態で運搬され、設置箇所にて耐震卓Ｔ３として組み立てられるものである。
【００５０】
まず、耐震卓Ｔ３の設置場所を決定する。耐震卓Ｔ３はそれ自体でかなりの重量があるので、設置場所は床構造が丈夫な所を選択することが必要である。設置場所が決定すれば、次に、６個の脚用安定板８，８、…を配設する。この際、６個の脚用安定板８，８、…は、天板６の天板本体６１の底面の台座用凹部ｈ９及び脚用凹部ｈ１０に対応する位置に配設する。
【００５１】
次に、６個の脚用安定板８，８、…の夫々の心棒８２、８２、…を脚７１〜７６の下端部に穿設された心棒用孔ｈ１２、ｈ１２、…に嵌着することにより、脚７１〜７６を脚用安定板８，８、…の夫々中央に垂設する。心棒８２、８２、…は約１５０ｍｍの長さがあり、脚７１〜７６は鉄製であるので、脚７１〜７６の自重により脚７１〜７６は脚用安定板８，８、…の夫々中央に垂設固着された状態となる。
【００５２】
次に、脚７１〜７６の上端面に突設された脚凸部ｔ４、ｔ４、…に台座９の脚用孔ｈ１１を挿嵌することにより、台座９を脚７１〜７６の上部に固定する。この際、図１０ｇに見るように、台座９の嵌合部９２の上面には脚凸部ｔ４の上端部が突出した状態となる。図１０ｇは脚７１の状態を示しているが、残りの脚７２〜７６も全て同様である。
【００５３】
次に、台座９の嵌合部９２を天板６の天板本体６１の底面の台座用凹部ｈ９に嵌着すると同時に台座９の嵌合部９２の上面に突出した状態の脚凸部ｔ４の上端部を天板６の天板本体６１の底面の脚用凹部ｈ１０に嵌着することにより、天板６を台座９、９、…の上面に止着する。天板６の天板本体６１は鉄製であるので、天板６は自重により台座９、９、…の上面に架設固着された状態となる。これにて、耐震卓Ｔ３の組み立ては完了し、耐震卓Ｔ３は完成状態となる。
【００５４】
＜実施例３の作用＞
実施例３の耐震卓Ｔ３は上記のような構成であるので、地震の強い揺れが襲ってきたときに、人は、耐震卓Ｔ３の下に逃げ込めば、耐震卓Ｔ３がシェルターの役割を果たし、耐震卓Ｔ３の上に上層階が崩壊してきても、重量のある家具が倒壊してきても、耐震卓Ｔ３が圧潰されることがなく、耐震卓Ｔ３の下に逃げ込んだ人の安全が保証される。
【００５５】
この際、耐震卓Ｔ１同様、耐震卓Ｔ３の構成が、圧潰に耐える強度を保証するものである。すなわち、まず、耐震卓Ｔ３の天板６は厚さ４０ｍｍの鉄板であり、その４隅を直径７０ｍｍの頑丈な鉄製の脚７１、７２、７３、７４で支えられているばかりではなく、その中央部分も同一構成の脚７５、７６にて支えられているので、６本の脚７１〜７６が折損することも考えられず、天板６の下の空間は、シェルター空間として、その下に逃げ込んだ人の身体の安全を保証するものである。
【００５６】
また、台座９はその上端部が切欠部ｓ、ｓ、ｓ、ｓを有する嵌合部９２となり、嵌合部９２が天板６の天板本体６１の底面に穿設された台座用凹部ｈ９に間隙なく嵌着され、中心に脚７１〜７６の脚凸部ｔ４、ｔ４、…が嵌通されるので、脚７１〜７６は台座９，９，…を介することにより、より強力に天板本体６１の底面に嵌着固定されるものである。すなわち、台座９，９，…は脚７１〜７６と天板本体６１の連結固着状態を補強する作用を果たすものである。なお、６本の脚７１〜７６の円柱形状は、通常の四角柱の脚に比べ、逃げ込んだ人が激しく衝突しても傷害を蒙りにくいという作用も有するものである。この作用をさらに促進するためには、あるいは脚７１〜７６の表面をゴムで被覆する等の方法も考え得る。
【００５７】
またさらに、６本の脚７１〜７６の下端には鉄製の安定板８，８、…が夫々嵌着されているので、強い揺れにおいてもこの安定板８，８、…の作用によって耐震卓Ｔ１の位置がずれるということがないのは実施例１と同様である。したがって、人が逃げ込もうと思っても耐震卓Ｔ３が移動して逃げ込めなかったり、あるいは逃げ込んだ後で耐震卓Ｔ３が移動してシェルターの役を果たさなかったりということがありえない。すなわち、不動の信頼性の高いシェルターとしての作用を常に果たし得るものである。
【００５８】
また、耐震卓Ｔ３は、実施例１と同様各部の連結にビスやボルトのような結合用の部材を用いず、各部材を凹部と凸部により嵌着させて組み上げ、自重によって固着させているので、強い揺れや衝撃においても、ビスやボルトのような結合用の部材が破壊されるということがなく、結合部分ははるかに丈夫である。なお、この実施例３においても、実施例２同様、天板６の上面にゴム板を接着するという構成は、当然考えられるものである。実施例３の耐震卓Ｔ３の天板６の上面にゴム板を接着した場合には、前記解決手段３の１実施例となる。
【産業上の利用可能性】
【００５９】
本考案の耐震卓は、家庭やオフィス、工場、アウトドア、その他いかなる場所においても、通常は机、テーブル、デスクとして用いることができ、一旦地震の強い揺れが襲えば、人がその下に逃げ込み、身体の安全を確保し得るシェルターとして機能するものである。
【図面の簡単な説明】
【００６０】
【図１】（ａ）本考案の実施例１の耐震卓の外観斜視図である。（ｂ）本考案の実施例１の耐震卓の正面図である。
【図２】（ａ）本考案の実施例１の耐震卓の平面図である。（ｂ）本考案の実施例１の耐震卓の左側面図である。
【図３】（ａ）図２ａのＡ−Ａ断面図である。（ｂ）図２ａのＢ−Ｂ断面図である。
【図４】図２ａのＣ−Ｃ断面図である。
【図５】（ａ）本考案の実施例１の耐震卓の天板の底面図である。（ｂ）本考案の実施例１の耐震卓の補強梁部の上面から見た外観斜視図である。
【図６】（ａ）本考案の実施例１の耐震卓の天板の下に補強梁部を組み付けた状態の底面図である。（ｂ）本考案の実施例１の耐震卓の正面から見た各部の組み付け図である。
【図７】（ａ）本考案の実施例１の耐震卓の補強梁部の一部の底面から見た外観斜視図である。（ｂ）本考案の実施例１の耐震卓の脚の１本の下端部の底面から見た外観斜視図である。（ｃ）本考案の実施例１の耐震卓の脚の１本の上端部の上面から見た外観斜視図である。（ｄ）本考案の実施例１の耐震卓の脚用安定板の上面から見た外観斜視図である。
【図８】（ａ）本考案の実施例２の耐震卓の外観斜視図である。（ｂ）図８ａの一部を省略したＤ−Ｄ断面図である。
【図９】（ａ）本考案の実施例３の耐震卓の外観斜視図である。（ｂ）本考案の実施例３の耐震卓の一部を欠截した正面図である。
【図１０】（ａ）本考案の実施例３の耐震卓の天板本体の底面の外観斜視図である。（ｂ）本考案の実施例３の耐震卓の台座の外観斜視図である。（ｃ）本考案の実施例３の耐震卓の脚の１本の上端部の外観斜視図である。（ｄ）本考案の実施例３の耐震卓の脚の１本の下端部の外観斜視図である。（ｅ）本考案の実施例３の耐震卓の脚用安定板の上面から見た外観斜視図である。（ｆ）本考案の実施例３の耐震卓の天板本体の底面の一部を拡大した外観斜視図である。（ｇ）本考案の実施例３の耐震卓の脚の１本の上端部に台座を嵌着した状態を示す外観斜視図である。
【図１１】（ａ）特許文献１に記載の耐震用幼児机の正面図である。（ｂ）特許文献２に記載の耐震用幼児机の底面図である。
【符号の説明】
【００６１】
１      天板
１１    天板本体
１２    緩衝板
２      補強梁部
２１    補強梁部本体
２２    緩衝板
２３ａ  結節点
２３ｂ  結節点
２３ｃ  結節点
２３ｄ  結節点
２３ｅ  結節点
２３ｆ  結節点
２４ａ  結節点
２４ｂ  結節点
２４ｃ  結節点
２４ｄ  結節点
２４ｅ  結節点
２４ｆ  結節点
２４ｇ  結節点
２４ｈ  結節点
２４ｉ  結節点
２４ｊ  結節点
２４ｋ  結節点
２４ｌ  結節点
３      脚部
３１    脚
３２    脚
３３    脚
３４    脚
３５    脚
３６    脚
４      脚用安定板
４１    安定板本体
４２    心棒
４３    緩衝板
５      天板
５１    天板本体
５２    緩衝板
５３    上板
６      天板
６１    天板本体
７      脚部
７１    脚
７２    脚
７３    脚
７４    脚
７５    脚
７６    脚
８      脚用安定板
８１    安定板本体
８２    心棒
９      台座
９１    本体
９２    嵌合部
ｈ１    脚用凹部
ｈ２    脚用孔
ｈ３    脚用孔
ｈ４    脚用孔
ｈ５    梁用凹部
ｈ６    梁用孔
ｈ７    梁用孔
ｈ８    心棒用孔
ｈ９    台座用凹部
ｈ１０  脚用凹部
ｈ１１  脚用孔
ｈ１２  心棒用孔
ｔ１    脚凸部
ｔ２    梁凸部
ｔ３    梁凸部
ｔ４    脚凸部
Ｐ１    耐震用幼児机
Ｐ１１  枠体
Ｐ１２  梁部材
Ｐ１３  補強プレート
Ｐ１４  脚部
Ｐ１７  つかまり棒
Ｐ２    耐震用幼児机
Ｐ２１  天板
Ｐ２２  脚
Ｐ２３  つかまり棒
Ｐ１００  天板
Ｔ１    耐震卓
Ｔ２    耐震卓
Ｔ３    耐震卓
ｓ      切欠部
【図１】
0003102348.tif 000003
【図２】
0003102348.tif 000004
【図３】
0003102348.tif 000005
【図４】
0003102348.tif 000006
【図５】
0003102348.tif 000007
【図６】
0003102348.tif 000008
【図７】
0003102348.tif 000009
【図８】
0003102348.tif 000010
【図９】
0003102348.tif 000011
【図１０】
0003102348.tif 000012
【図１１】
0003102348.tif 000013